(57)【要約】    【課題】      ある通信システム内に別の通信システムが存在し、移動機が、これら複数の通信システムと選択的に通信可能な移動体通信システムにおいて、低消費電力化の向上を図ること。    【解決手段】  移動機３００において、受信部３１０は、ある通信システム内に存在するローカルシステムのシステム情報および位置情報を含む信号を受信し、位置検出部３１８は、受信信号に基づいて自己の位置を検出する。また、システム選択部３２０は、受信信号に含まれるローカルシステムのローカルシステム情報および位置情報ならびに検出された自己の位置情報に基づいて、ある通信システムおよびローカルシステムの中から、最も低消費電力で、待ち受け動作やランダムアクセス動作が可能な通信システムを選択する。  【選択図】      図２
2005101820.tif 000002
【特許請求の範囲】
【請求項１】
第１のエリアを有する第１通信システムおよび前記第１エリア内に存在する第２のエリアを有する第２通信システムと選択的に通信可能な通信端末装置において、
前記第２通信システムのシステム情報および位置情報を含む信号を受信する受信手段と、
自己の位置を検出する検出手段と、
受信信号に含まれる前記第２通信システムのシステム情報および位置情報ならびに前記検出手段の検出結果に基づいて、前記第１通信システムおよび前記第２通信システムの中から一の通信システムを選択する選択手段と、
を有する、
ことを特徴とする通信端末装置。
【請求項２】
前記受信手段が受信する信号には、前記自己の位置を検出するための情報が含まれ、
前記検出手段は、前記自己の位置を検出するための情報に基づいて前記自己の位置を検出する、
ことを特徴とする請求項１記載の通信端末装置。
【請求項３】
前記選択手段は、受信信号に含まれる前記第２通信システムのシステム情報および位置情報ならびに前記検出手段の検出結果に基づいて、前記第１通信システムおよび前記第２通信システムのうち、最も低い消費電力で待ち受け動作が可能な通信システムを選択する、
ことを特徴とする請求項１記載の通信端末装置。
【請求項４】
前記選択手段は、受信信号に含まれる前記第２通信システムのシステム情報および位置情報ならびに前記検出手段の検出結果に基づいて、前記第１通信システムおよび前記第２通信システムのうち、最も低い消費電力でランダムアクセス動作が可能な通信システムを選択する、
ことを特徴とする請求項１記載の通信端末装置。
【請求項５】
請求項１記載の通信端末装置と前記第１通信システムにより通信を行う基地局装置であって、
前記第２通信システムのシステム情報および位置情報を記憶する記憶手段と、
前記記憶手段に記憶された情報を送信する送信手段と、
を有することを特徴とする基地局装置。
【請求項６】
第１通信システムにより第１のエリアを管理する第１基地局装置と、
前記第１のエリア内に存在する第２のエリアを第２通信システムにより管理する第２基地局装置と、
前記第１基地局装置および第２基地局装置と選択的に通信可能な通信端末装置と、
を備える移動体通信システムにおいて、
前記第１基地局装置は、
前記第２通信システムのシステム情報および位置情報を記憶する記憶手段と、
前記記憶手段に記憶された情報を送信する送信手段と、を有し、
前記通信端末装置は、
前記第２通信システムのシステム情報および位置情報を含む信号を受信する受信手段と、
受信信号に基づいて自己の位置を検出する検出手段と、
前記受信信号に含まれる前記第２通信システムのシステム情報および位置情報ならびに前記検出手段の検出結果に基づいて、前記第１通信システムおよび前記第２通信システムの中から一の通信システムを選択する選択手段と、
を有することを特徴とする移動体通信システム。
【請求項７】
第１のエリアを有する第１通信システムおよび前記第１エリア内に存在する第２のエリアを有する第２通信システムと選択的に通信可能な通信端末装置における通信システム選択方法であって、
前記第２通信システムのシステム情報および位置情報を含む信号を受信する受信ステップと、
自己の位置を検出する検出ステップと、
前記受信ステップにより受信した信号に含まれる前記第２通信システムのシステム情報および位置情報ならびに前記検出ステップにより検出した検出結果に基づいて、前記第１通信システムおよび前記第２通信システムの中から一の通信システムを選択する選択ステップと、
を有することを特徴とする通信システム選択方法。
【発明の詳細な説明】
【技術分野】
【０００１】
本発明は、ある通信システム内に別の通信システムが存在し、これら複数の通信システムと選択的に通信を行うことができる通信端末装置および通信システム選択方法に関する。
【背景技術】
【０００２】
通常、移動体通信システム（以下単に「通信システム」という）では、サービスエリアを複数の基地局で覆う方法（セル構成）のシステム（セルラシステム）が用いられている。このような通信システムにおいて、ある通信システム内に別の通信システムが存在し、移動機がこれら複数の通信システムに対応している場合がある。その一例として、ＰＤＣ（Personal Digital Cellular）やＷ−ＣＤＭＡ（Wideband Code Division Multiple Access）等のセルラシステム内に無線ＬＡＮ（Local Area Network）などのシステムが存在し、移動機がこれら複数の通信システムに対応している場合などが挙げられる。
【０００３】
例えば、ある通信システムＡの基地局のエリア内にローカル通信システムＢの基地局があり、移動機が通信システムＡおよびローカル通信システムＢのそれぞれに対応している場合、移動機では、手動もしくは定期的な各システムの探索結果に基づいて待ち受ける通信システムを選択することにより対応している。移動機がローカル通信システムＢのエリア内に位置する場合は、通常、ローカル通信システムＢを選択する方がより低消費電力で動作を行うことができる。
【０００４】
すなわち、移動機では、手動により通信システムを選択する構成の場合、ユーザ（移動機）がローカル通信システムＢのエリア外に位置していることが判っている場合に、通信システムＡを選択するようにし、ローカル通信システムＢのエリア内に位置していることが判っている場合に、ローカル通信システムＢを選択して待ち受ける。
【０００５】
また、定期的に各通信システムを探索する構成であれば、定期的に通信システムＡもしくはローカル通信システムＢの受信を行うことでローカル通信システムＢのエリア内であるかどうかを判断することができ、その判断に対応して待ち受ける通信システムを選択する。なお、このように定期的に各通信システムを探索する構成としては、例えば、特許文献１の構成を適用することにより実施することができる。
【特許文献１】特開２００２−１９９４２８号公報
【発明の開示】
【発明が解決しようとする課題】
【０００６】
しかしながら、待ち受ける通信システムを手動で選択する場合においては、ユーザ（移動機）がローカル通信システムＢのエリア外からローカル通信システムＢのエリア内に移動すると、ユーザが通信システムを切り替えない限り、ローカル通信システムＢでの待ち受けができず、低消費電力化につながらないという問題がある。
【０００７】
また、定期的に各通信システムを探索する場合においては、ローカル通信システムＢへの切り替えは自動的に可能であるが、探索する時間分の遅延が生じ、遅延なくローカル通信システムＢに切り替えることができない。さらに、ローカル通信システムＢのエリア外に位置して、ローカル通信システムＢのエリア内に移動しない場合などは、ローカル通信システムＢを探索する処理が無駄になるとともに、探索動作による消費電力の増加が生じるという問題がある。つまり、低消費電力化には一定の限界がある。
【０００８】
本発明はかかる点に鑑みてなされたものであり、低消費電力化の向上を図ることができる通信端末装置、基地局装置、移動体通信システムおよび通信システム選択方法を提供することを目的とする。
【課題を解決するための手段】
【０００９】
本発明の通信端末装置は、第１のエリアを有する第１通信システムおよび前記第１エリア内に存在する第２のエリアを有する第２通信システムと選択的に通信可能な通信端末装置において、前記第２通信システムのシステム情報および位置情報を含む信号を受信する受信手段と、自己の位置を検出する検出手段と、受信信号に含まれる前記第２通信システムのシステム情報および位置情報ならびに前記検出手段の検出結果に基づいて、前記第１通信システムおよび前記第２通信システムの中から一の通信システムを選択する選択手段と、を有する構成を採る。
【００１０】
この構成によれば、通信端末装置は、第２通信システム（ローカル通信システム）のシステム情報および位置情報を含む信号を受信するとともに、自己の位置を検出し、第２通信システムのシステム情報および位置情報ならびに検出した自己の位置情報に基づいて、第１通信システムおよび第２通信システムの中から一の通信システムを選択するため、自己がどの通信システム内にあってどの通信システムを利用すればより低消費電力になるかを判断することが可能になり、最も低い消費電力になる通信システムを選択することにより、低消費電力化の向上を図ることができる。
【００１１】
本発明の通信端末装置は、上記構成において、前記受信手段が受信する信号には、前記自己の位置を検出するための情報が含まれ、前記検出手段は、前記自己の位置を検出するための情報に基づいて前記自己の位置を検出する構成を採る。
【００１２】
この構成によれば、検出手段は、受信手段が受信する信号に含まれる自己の位置を検出するための情報に基づいて自己の位置を検出するため、信号を受信するだけで、第２通信システムのシステム情報および位置情報ならびに検出した自己の位置情報に基づいて、第１通信システムおよび第２通信システムの中から一の通信システムを選択することができる。
【００１３】
本発明の通信端末装置は、上記構成において、前記選択手段は、受信信号に含まれる前記第２通信システムのシステム情報および位置情報ならびに前記検出手段の検出結果に基づいて、前記第１通信システムおよび前記第２通信システムのうち、最も低い消費電力で待ち受け動作が可能な通信システムを選択する構成を採る。
【００１４】
この構成によれば、通信端末装置の位置情報および第２通信システムのシステム情報および位置情報ならびに検出した自己の位置情報に基づいて、第１通信システムおよび第２通信システムのうち、最も低い消費電力で待ち受け動作が可能な通信システムを選択するため、低消費電力化の向上を図ることができる。
【００１５】
本発明の通信端末装置は、上記構成において、前記選択手段は、受信信号に含まれる前記第２通信システムのシステム情報および位置情報ならびに前記検出手段の検出結果に基づいて、前記第１通信システムおよび前記第２通信システムのうち、最も低い消費電力でランダムアクセス動作が可能な通信システムを選択する構成を採る。
【００１６】
この構成によれば、通信端末装置の位置情報および第２通信システムのシステム情報および位置情報ならびに検出した自己の位置情報に基づいて、第１通信システムおよび第２通信システムのうち、最も低い消費電力でランダムアクセス動作（位置登録、発着信）が可能な通信システムを選択するため、低消費電力化の向上を図ることができる。
【００１７】
本発明の基地局装置は、上記に記載の通信端末装置と前記第１通信システムにより通信を行う基地局装置であって、前記第２通信システムのシステム情報および位置情報を記憶する記憶手段と、前記記憶手段に記憶された情報を送信する送信手段とを有する構成を採る。
【００１８】
この構成によれば、あらかじめ第２通信システムのシステム情報および位置情報を記憶しておき、これらの情報を通信端末装置に送信するため、上記に記載の通信端末装置を実現するための第１通信システムにおける基地局装置を提供することができる。
【００１９】
本発明の移動体通信システムは、第１通信システムにより第１のエリアを管理する第１基地局装置と、前記第１のエリア内に存在する第２のエリアを第２通信システムにより管理する第２基地局装置と、前記第１基地局装置および第２基地局装置と選択的に通信可能な通信端末装置と、を備える移動体通信システムにおいて、前記第１基地局装置は、前記第２通信システムのシステム情報および位置情報を記憶する記憶手段と、前記記憶手段に記憶された情報を送信する送信手段と、を有し、前記通信端末装置は、前記第２通信システムのシステム情報および位置情報を含む信号を受信する受信手段と、受信信号に基づいて自己の位置を検出する検出手段と、前記受信信号に含まれる前記第２通信システムのシステム情報および位置情報ならびに前記検出手段の検出結果に基づいて、前記第１通信システムおよび前記第２通信システムの中から一の通信システムを選択する選択手段と、を有する構成を採る。
【００２０】
この構成によれば、第１基地局装置は、あらかじめ第２通信システムのシステム情報および位置情報を記憶しておき、これらの情報を通信端末装置に送信し、通信端末装置は、第１基地局装置から第２通信システム（ローカル通信システム）のシステム情報および位置情報を含む信号を受信するとともに受信信号に基づいて自己の位置を検出し、第２通信システムのシステム情報および位置情報ならびに検出した自己の位置情報に基づいて、第１通信システムおよび第２通信システムの中から一の通信システムを選択するため、自己がどの通信システム内にあってどの通信システムを利用すればより低消費電力になるかを判断することが可能になり、最も低い消費電力になる通信システムを選択することにより、低消費電力化の向上を図ることができる。
【００２１】
本発明の通信システム選択方法は、第１のエリアを有する第１通信システムおよび前記第１エリア内に存在する第２のエリアを有する第２通信システムと選択的に通信可能な通信端末装置における通信システム選択方法であって、前記第２通信システムのシステム情報および位置情報を含む信号を受信する受信ステップと、自己の位置を検出する検出ステップと、前記受信ステップにより受信した信号に含まれる前記第２通信システムのシステム情報および位置情報ならびに前記検出ステップにより検出した検出結果に基づいて、前記第１通信システムおよび前記第２通信システムの中から一の通信システムを選択する選択ステップと、を有するようにした。
【００２２】
この方法によれば、通信端末装置は、第２通信システム（ローカル通信システム）のシステム情報および位置情報を含む信号を受信するとともに自己の位置を検出し、第２通信システムのシステム情報および位置情報ならびに検出した自己の位置情報に基づいて、第１通信システムおよび第２通信システムの中から一の通信システムを選択するため、自己がどの通信システム内にあってどの通信システムを利用すればより低消費電力になるかを判断することが可能になり、最も低い消費電力になる通信システムを選択することにより、低消費電力化の向上を図ることができる。
【発明の効果】
【００２３】
以上説明したように、本発明によれば、低消費電力化の向上を図ることができる。
【発明を実施するための最良の形態】
【００２４】
本発明の骨子は、ある通信システムのサービスネットワークエリア（以下「システムエリア」という）内に別の通信システム（ローカル通信システム）のサービスネットワークエリア（以下「ローカルシステムエリア」という）が存在し、システムエリア内で、ローカルシステムのシステム情報および位置情報を含む信号を受信するとともに、受信信号から自己の位置を検出し、ローカル通信システムのシステム情報および位置情報ならびに自己の位置情報に基づいて、最も低い消費電力で待ち受け動作やランダムアクセス動作が可能な通信システムを選択することにより、低消費電力化の向上を図ることである。
【００２５】
以下、本発明の実施の形態について、図面を参照して詳細に説明する。
【００２６】
図１は、本発明の一実施の形態に係る移動体通信システムの概略を示す全体図である。
【００２７】
移動体通信システム１００は、システムエリア１０１を管理する基地局１１０と、基地局１１０と異なる通信システムでシステムエリア１０１内に配置されたローカルシステムエリア２０１を管理するローカルシステム基地局２１０と、これらシステムエリア１０１、ローカルシステムエリア２０１内を移動可能な移動機３００とを有する。図１では、移動機３００の位置の例として、システムエリア１０１内でかつローカルシステムエリア２０１外の地点Ｘと、ローカルシステムエリア２０１内の地点Ｙとを示している。
【００２８】
なお、本実施の形態では、システムエリア１０１内に別のシステムエリアを有するローカルシステム基地局は１つのみであるが、これに限定されるわけではなく、ローカルシステム基地局は複数存在してもよい。
【００２９】
図２は、基地局、ローカルシステム基地局および移動局の構成を示すブロック図である。
【００３０】
図２に示す基地局１１０は、ある通信システム、例えば、ＰＤＣ方式、Ｗ−ＣＤＭＡ方式のセルラシステムにより、システムエリア１０１内の移動機３００と通信を行うものである。この基地局１１０は、送信部１１２、受信部１１４、アンテナ１１６、ローカルシステム情報記憶部１１８を有する。ここでは、基地局１１０は、システムエリア１０１を管理するＷ−ＣＤＭＡ方式のシステムを構成するものとする。
【００３１】
送信部１１２は、Ｗ−ＣＤＭＡ方式によりアンテナ１１６を介して、当該基地局１１０管理下のシステムエリア１０１内の移動機３００に、ローカルシステム情報を含む下りデータを送信する。
【００３２】
受信部１１４は、Ｗ−ＣＤＭＡ方式により、アンテナ１１６を介して移動機３００から送信される上りデータを受信する。また、アンテナ１１６は、送信部１１２および受信部１１４の制御によりデータを送受信する。
【００３３】
ローカルシステム情報記憶部１１８は、当該ローカルシステム情報記憶部１１８を有する基地局１１０が管理するシステムエリア１０１と少なくとも一部が重なるエリアであるローカルシステムエリア２０１で用いられる通信システム（以下「ローカルシステム」という）の情報（以下「ローカルシステム情報」という）を記憶する。
【００３４】
ローカルシステム情報とは、ローカルシステムエリア２０１を管理するローカルシステム基地局２１０で用いられる通信システム等のシステム情報やローカルシステム基地局２１０の位置情報等である。
【００３５】
ローカルシステム情報記憶部１１８は、記憶しているローカルシステム情報を送信部１１２に供給する。
【００３６】
ローカルシステム基地局２１０は、システムエリア１０１内に配置され、システムエリア１０１を有する通信システム（基地局２１０の通信システム）とは異なる通信システムを用いて、ローカルシステムエリア２０１を管理している。
【００３７】
このローカルシステム基地局２１０で用いられる通信システムは、基地局１１０で管理するシステムエリア１０１よりセル半径（ローカルシステムエリア２０１の半径）が小さい通信システムである。また、この通信システムとしては、基地局１１０の通信システムをＷ−ＣＤＭＡ方式のセルラシステムとした場合、例えば、ＰＨＳ（Personal Handy-phone System）、無線ＬＡＮなどが挙げられる。ここでは、無線ＬＡＮが用いられ、ローカルシステム基地局２１０は、無線ＬＡＮによりローカルシステムエリア２０１内における通信を管理している。
【００３８】
このローカルシステム基地局２１０は、下りデータを送信する送信部２１２、上りデータを受信する受信部２１４、アンテナ２１６を有する。
【００３９】
移動機３００は、システムエリア１０１の通信システムであるＷ−ＣＤＭＡ方式のセルラシステムと、ローカルシステムエリア２０１の無線ＬＡＮとに対応し、これらを選択することによりシステムエリア１０１、ローカルシステムエリア２０１をそれぞれ管理する基地局１１０、ローカルシステム基地局２１０に対して通信可能に構成されている。
【００４０】
すなわち、移動機３００は、システムエリア１０１およびローカルシステムエリア２０１のそれぞれで用いられている通信システム（ここでは、Ｗ−ＣＤＭＡ方式のセルラシステム、無線ＬＡＮ）を選択して双方のいずれの通信システムでも通信を行うことができる。
【００４１】
移動機３００は、下りデータ（外部からの信号）を受信する受信部３１０、上りデータを送信する送信部３１２、これら受信部３１０および送信部３１２を制御する呼制御部３１４、アンテナ３１６、位置検出部３１８、システム選択部３２０を有する。
【００４２】
受信部３１０は、アンテナ３１６を介して、複数の通信システム（ここでは、Ｗ−ＣＤＭＡ方式のセルラシステム、無線ＬＡＮ）のうちシステム選択部３２０により選択された通信システムを用いて受信可能に構成され、基地局１１０、ローカルシステム基地局２１０の双方から送信される下りデータ（信号）を受信する。そして、受信部３１０は、選択された通信システムを用いて次の下りデータの待ち受け動作を行う。
【００４３】
この受信部３１０は、受信した下りデータからローカルシステム情報（ローカルシステム基地局２１０の通信システムが無線ＬＡＮである情報やローカルシステム基地局２１０の位置情報）を抽出するローカルシステム情報抽出部３１１を有し、このローカルシステム情報抽出部３１１は、抽出したローカルシステム情報をシステム選択部３２０に出力する。
【００４４】
送信部３１２は、アンテナ３１６を介して、複数の通信システム（ここでは、Ｗ−ＣＤＭＡまたは無線ＬＡＮ）のうちシステム選択部３２０により選択された通信システムを用いて上りデータを外部に送信する。また、送信部３１２は、選択された通信システムを用いて、所定の基地局にランダムアクセス動作を行うように構成されている。
【００４５】
呼制御部３１４は、移動機３００で行われる呼情報を制御するものであり、システム選択部３２０により選択された通信システムに基づいて受信部３１０および送信部３１２を制御する。
【００４６】
例えば、システム選択部３２０において、システムエリア１０１における通信システム（Ｗ−ＣＤＭＡ）が選択された場合、呼制御部３１４は、システム選択部３２０の指示に基づいて受信部３１０を選択したＷ−ＣＤＭＡで信号の待ち受け動作を行うように制御したり、送信部３１２をＷ−ＣＤＭＡで信号の送信、ここではランダムアクセス動作を行うように制御したりする。
【００４７】
位置検出部３１８は、基地局１１０からの受信信号に基づいて当該移動機３００の位置を検出してシステム選択部３２０に出力する。具体的には、例えば、基地局１１０から送信された信号が移動機３００に到達するまでの時間（伝搬時間）、および基地局１１０の位置情報の２つの要素を用いて、自己の位置を算出する。前者の情報は移動機３００により算出され、後者の情報は基地局１１０から移動機３００に対して通知される。なお、自己の位置の検出は、ＧＰＳ（Global Positioning System）等の他システムからの所定の信号に基づいても行える。ＧＰＳを用いる場合は、ＧＰＳ受信部により受信するＧＰＳ信号と、基地局からの受信信号とで自己の位置を検出できる。
【００４８】
システム選択部３２０は、ローカルシステム情報抽出部３１１により下りデータから抽出されたローカルシステム情報（ローカルシステム基地局２１０の通信システムが無線ＬＡＮである情報やローカルシステム基地局２１０の位置情報）と、位置検出部３１８により検出された当該移動機３００の位置情報とに基づいて、移動機３００が行う通信の通信システムを選択して呼制御部３１４に出力する。
【００４９】
この通信システムの選択により、呼制御部３１４は、選択された通信システムが用いられている通信システムにてそれぞれ対応する通信システムを用いて受信部３１０および送信部３１２を制御し、移動機３００は、待ち受け動作やランダムアクセス動作などの通信を行う。
【００５０】
また、このシステム選択部３２０では、入力される情報に基づいて、基地局１１０、ローカルシステム基地局２１０のうち、最も移動機３００からの距離が近い方の基地局、または、実際に移動機３００が位置するシステムエリアを管理する基地局と通信を行うように制御する。
【００５１】
次に、以上のように構成された移動体通信システム１００の移動機３００における待ち受け動作について図１を参照して説明する。
【００５２】
例えば、移動機３００が地点Ｘにいる場合、移動機３００は位置検出部３１８（図２参照）において検出された位置からローカルシステムエリア２０１外であることが判断できるため、呼制御部３１４により受信部３１０を制御してシステムエリア１０１を管理する通信システム（Ｗ−ＣＤＭＡ方式のセルラシステム）での待ち受け動作を行う。
【００５３】
移動機３００は、システムエリア１０１内に居る場合、基地局１１０から、ローカルシステム情報が含まれた信号を常に受信しているので、システムエリア１０１での通信システムにより通信を行っているとともにローカルシステム情報が常に入力されるので、ローカルシステムを常に監視している状態となっている。
【００５４】
そして、移動機３００が、地点Ｘから地点Ｙに移動した場合など、システムエリア１０１からローカルシステムエリア２０１に移動する場合は、位置検出部３１８により移動機３００自体の位置と、ローカルシステム情報抽出部３１１により受信データから抽出されたローカルシステム情報に基づいて、移動機３００自体の位置（地点Ｘ）から、ローカルシステムエリア２０１内に入ることが判断できるため、システム選択部３２０は、ローカルシステムエリア２０１を管理する通信システム（無線ＬＡＮ）を選択し、呼制御部３１４が受信部３２０を制御することにより、ローカルシステムシステムエリア２０１を管理する通信システム（無線ＬＡＮ）での待ち受け動作を選択することができる。
【００５５】
また、システムエリア１０１およびローカルシステムエリア２０１内（地点Ｙ）にいる場合、システム選択部３２０に入力される情報から、移動機３００からの距離が、基地局１１０、ローカル基地局２１０のうち、最も近い方の基地局（ここでは、ローカルシステムエリア２０１）で用いられる通信システムを選択し、選択した通信システムを用いて通信を行う。このように、移動機３００からの距離が近い基地局（ここでは、ローカルシステムエリア２０１）と通信を行うため、消費電力を落として、より低消費電力で待ち受けることができる通信システムを選択することもできる。
【００５６】
この選択は、受信信号から抽出されるローカルシステムの情報に予め含ませた情報によって判断しても良い。この構成によれば、さらに低消費電力で待ち受けることができるシステムを選択するように制御することができる。
【００５７】
また、以上のように構成された移動体通信システム１００の移動機３００においてランダムアクセスが可能な通信システムを選択する動作について説明する。
【００５８】
この移動機３００においてランダムアクセスが可能な通信システムを選択する場合の特徴は、最も低い消費電力の通信システムを選択する点にある。
【００５９】
例えば、移動機３００が、システムエリア１０１およびローカルシステムエリア２０１内（図１に示す地点Ｙ）にいる場合、システムエリア１０１を管理する基地局１１０、ローカルシステムエリア２０１を管理するローカルシステム基地局２１０のいずれにもランダムアクセスは可能である。
【００６０】
この場合において、ランダムアクセス動作を行う際の消費電力が異なる場合、より低消費電力のシステムを選択して送信するようにした方が望ましい。一般的には、基地局との距離が短い方が低消費電力で送信することが可能である。よって、システム選択部３２０は、移動機３００により近い基地局（移動機３００が地点Ｙにいるので、ローカルシステム基地局２１０）で用いられている通信システムを選択し、その旨の信号を呼制御部３１４に出力することにより、送信部３１２は低消費電力化されたランダムアクセス、つまり、ローカルシステム基地局２１０に対してランダムアクセス動作を行うことができる。
【００６１】
このように本実施の形態によれば、より低消費電力でランダムアクセス動作が可能なシステムを選択するように制御することができる。
【００６２】
すなわち、本実施の形態によれば、複数の異なる通信システム管理下のシステムエリア１０１、２０１内で、容易に、且つ、遅延することなく、最も低い消費電力で待ち受け動作やランダムアクセス動作などを含む通信が可能な通信システムに自動的に切り替えることができ、待ち受け時間を長くすることができる。
【００６３】
よって、従来と異なり、手動で待ち受ける通信システムを選択する際の待ち受け時間の短縮化が生じることがなく、また、定期的に各通信システムを探索する場合における探索する時間分の遅延により消費電力の増加は生じない。
【００６４】
なお、本実施の形態のシステム選択部３２０により通信システムを選択する際に、移動機３００のバッテリ状態に基づいて最も低い消費電力により待ち受け可能な通信システムを選択するようにしてもよい。
【００６５】
例えば、移動機３００に、充電可能な充電池及び電源回路などにより構成され、携帯端末装置内の各部に駆動電圧を供給する電池と、電池の残量を一定の周期で検出し、その検出した電池残量をシステム選択部に出力する電池残量検出部を設けた構成とする。そして、上記構成のシステム選択部が、更に、電池残量検出部から入力される電池残量の値を予め設定された閾値と比較し、電池残量が閾値よりも小さい場合に消費電力の少ない通信システムを選択して、呼制御部３１４に出力する機能を備えるようにすることで実現することができる。
【００６６】
また、本実施の形態において、移動体通信システム１００内には、基地局１１０が管理する通信システムと異なる通信システムである１つのローカルシステム（ここでは無線ＬＡＮ）が存在する構成としたが、これに限らず、複数の通信システムが存在してもよい。例えば、移動体通信システム１００に複数の無線ＬＡＮを存在する構成としてもよい。また、移動体通信システム内に存在する複数の通信システムは無線ＬＡＮに限らず、移動体通信システム１００と異なる通信システムであれば、どのような通信システムとしてもよい。
【産業上の利用可能性】
【００６７】
本発明に係る通信端末装置、基地局装置、移動体通信システムおよび通信システム選択方法は、低消費電力化の向上を図ることができる効果を有し、ある通信システム内に別の通信システムが存在し、これら複数の通信システムと選択的に通信を行うことができるシステムとして有用である。
【図面の簡単な説明】
【００６８】
【図１】本発明の一実施の形態に係る移動体通信システムの構成を示す全体図
【図２】図１に示す移動体通信システムを構成する基地局、ローカルシステム基地局および移動局の構成を説明するブロック図
【符号の説明】
【００６９】
１００  移動体通信システム
１０１  システムエリア
１１０  基地局
１１２  送信部
１１８  ローカルシステム情報記憶部
２０１  ローカルシステムエリア
２１０  ローカルシステム基地局
３００  移動機
３１０  受信部
３１１  ローカルシステム情報抽出部
３１２  送信部
３１４  呼制御部
３１８  位置検出部
３２０  システム選択部
【図１】
2005101820.tif 000003
【図２】
2005101820.tif 000004